(57)【要約】【課題】接続された複数の照明器具を調光制御する調光器、及びこの調光器を備えた調光システムにおいて、操作に不慣れな人であっても簡単に操作することができるようにする。【解決手段】調光器１は、所定の照明パターンを再生する際に選択操作されるパターンスイッチＳＷと、選択操作されたパターンスイッチＳＷに基づいて照明器具を調光制御する演算処理部３とを備えており、複数の照明器具が２回路に分けて接続される。選択操作されたパターンスイッチＳＷに基づいて、２回路に分けて接続された複数の照明器具の調光レベルを制御し照明パターンを再生するので、ユーザは、複数の照明器具を個々に操作することなく、パターンスイッチＳＷのみを操作することにより所定の照明パターンを再生することが可能となる。また、複数の照明器具を２回路に統括して制御するので、スイッチ数を削減することができ、迷うことなく簡単に操作することができるようなる。【選択図】図３
2006236892.tif 000002
【特許請求の範囲】
【請求項１】
調光信号を出力することにより接続された複数の照明器具を調光制御する調光器において、
前記複数の照明器具が２つの回路に分けて接続され、
所定の照明パターンを再生する際に選択操作されるパターン選択手段と、
前記パターン選択手段に基づいて、前記２つの回路のそれぞれに接続された照明器具に出力される前記調光信号を制御し、これら各回路に接続された照明器具の調光レベルを制御して、選択操作された前記パターン選択手段に割り当てられた照明パターンを再生する調光制御手段と、
を備えたことを特徴とする調光器。
【請求項２】
前記照明パターンは、前記２つの回路に接続された全ての照明器具をオフにする第１のパターンと、前記２つの回路に接続された全ての照明器具の調光レベルを略１００％にする第２のパターンと、一方の回路に接続された照明器具の調光レベルを第１の所定レベルにし、他方の回路に接続された照明器具の調光レベルを第２の所定レベルにする第３のパターンとを含み、
前記パターン選択手段は、第１のパターン乃至第３のパターンのそれぞれに割り当てられた第１の選択手段乃至第３の選択手段を有することを特徴とする請求項１に記載の調光器。
【請求項３】
前記パターン選択手段に割り当てられた照明パターンが固定であることを特徴とする請求項１又は請求項２に記載の調光器。
【請求項４】
前記パターン選択手段に割り当てられた照明パターンを調整する際にユーザによって操作され、前記２つの回路に接続された照明器具の調光レベルを設定するためのレベル設定手段を備えたことを特徴とする請求項１又は請求項２に記載の調光器。
【請求項５】
前記レベル設定手段の設定範囲を前記照明器具の調光レベルの使用頻度に応じて割り当て、
使用頻度が高い調光レベルの範囲にレベル設定手段の設定範囲を広く割り当て、使用頻度が低い調光レベルの範囲にレベル設定手段の設定範囲を狭く割り当てたことを特徴とする請求項４に記載の調光器。
【請求項６】
前記２つの回路に分けて接続され、前記調光信号により調整制御可能な複数の照明器具と、
請求項１乃至請求項５の何れかに記載の調光器とを備えたことを特徴とする調光システム。
【発明の詳細な説明】
【技術分野】
【０００１】
本発明は、接続された複数の照明器具を調光制御する調光器、及び、これら照明器具と調光器とを備えた調光システムに関し、例えば、不特定多数の人が利用する会議室やミーティングルーム等で使用する場合に好適な調光器及び調光システムに関する。
【背景技術】
【０００２】
照明器具は、その設置場所や使用環境等に応じて照明パターンを調整して使用する必要がある場合がある。例えば、会議室等ではプロジェクタがよく使用されるが、プロジェクタ使用時にはスクリーン等に映し出された映像が見え易く、且つ、手元でメモがとれる程度の明るさにする必要がある。従来、調光レベルを設定することができない照明器具においては、プロジェクタ使用時、全ての照明器具をオフにする、又は、映像が映し出される側の照明器具のみをオフにする等にして照明パターンを調整していた。しかしながら、全ての照明器具をオフにするとプロジェクタで映し出された映像は見え易くなるが、メモがとり難くなる。一方、映像が映し出される側の照明器具のみをオフにした場合、照明器具をオンにした領域とオフにした領域で照度差が強くなり落ち着かない状態となる。
【０００３】
近年、調光信号により調光制御可能な照明器具が普及してきており、このような照明器具を調光制御する装置として、１回路用調光器や、記憶式多回路用調光器等が使用されている（例えば、特許文献１参照）。
【０００４】
図８に示されるように、１回路用調光器１０１は、接続された照明器具の調光レベルを設定するためのボリュームＶ１１と、接続された照明器具をＯＮ又はＯＦＦするためのＯＮ／ＯＦＦスイッチＳＷ１１とを備えている。
【０００５】
一方、図９に示されるように、記憶式多回路用調光器２０１は、各回路に接続された照明器具の調光レベルを設定するためのボリュームＶ２１と、各回路に接続された照明器具をＯＮ又はＯＦＦするためのＯＮ／ＯＦＦスイッチＳＷ２１と、所定の照明パターンを再生する際に選択操作されるパターンスイッチＳＷ２２とを備えている。
【特許文献１】特開平６−２９２２６３号公報
【発明の開示】
【発明が解決しようとする課題】
【０００６】
しかしながら、１回路用調光器１０１は、接続された全ての照明器具の調光レベルを全て同じ値にしか設定できなかったため、例えば、上述したプロジェクタ使用時ように、スクリーン等に映し出された映像が見え易く、且つ、手元でメモがとれる程度の明るさにする場合には、１回路用調光器１０１を２台並べる必要がある。１回路用調光器１０１を２台並べると照明器具をオン又はオンする際、毎回２回の操作が必要となり操作に手間が掛かる。また、プロジェクタ使用時の照明パターンを調整する際には、ボリュームＶ１１を毎回手動で操作する必要があるため、不特定多数の人が使用することを前提にすると、調整することに不慣れな人は、照明をどこまで落としたらよいのか判断がつかず悩むことになり貴重な時間を無駄にすることになる。
【０００７】
一方、記憶式多回路用調光器２０１の場合は、プロジェクタ使用時の照明パターンを予め記憶させておくことにより明るさの調整に悩むことがなくなる反面、多機能であるため操作パネルに多数のスイッチがあり、初めて使用する人は、まず、照明器具を点灯させる際にどのスイッチを操作したらよいのか分かり難く、その調光器にプロジェクタ用の照明パターンが設定されていることすら気づかない可能性もある。
【０００８】
以上のように、従来においては、会議室等のような不特定多数の人が使用する場所に設置する場合に適した調光器が存在しなかったため、調光信号により調光制御可能な照明器具が普及しているにも関わらず、不特定多数の人が使用する場所での調光器の使用は進んでいない。  
【０００９】
また、従来の調光器１０１，２０１においては、一般的に、ボリュームＶ１１，Ｖ２１の設定範囲の各値は、照明器具の調光レベルとリニアに対応するように割り当てられていた。このようなボリュームの割り当て方法は、調光レベルの使用頻度に偏りがない場合には特に問題にはならないが、調光レベルの使用頻度に偏りがある場合には以下のような問題が生じる。例えば、上述したように会議室等での使用を想定した場合、プロジェクタの不使用時等、明るい照明パターンの場合には調光レベルは１００％に設定され、プロジェクタの使用時等、暗めの照明パターンの場合には、調光レベルは約５％〜約４０％の範囲に設定される。このため、４１％〜９９％付近の調光レベルはほとんど使用されず、この範囲に割り当てられたボリュームの設定範囲は無駄になっていた。
【００１０】
本発明は、かかる点に鑑みてなされたものであり、操作に不慣れな人であっても簡単な操作で所望する照明パターンを再生することができる調光器及び調光システムを提供することを目的とする。
【００１１】
また、照明器具の調光レベルを設定する際に操作されるボリューム等の設定範囲を効率的に照明器具の調光レベルに割り当てることができる調光器及び調光システムを提供することも目的とする。
【課題を解決するための手段】
【００１２】
上記目的を達成するために請求項１の発明は、調光信号を出力することにより接続された複数の照明器具を調光制御する調光器において、前記複数の照明器具が２つの回路に分けて接続され、所定の照明パターンを再生する際に選択操作されるパターン選択手段と、前記パターン選択手段に基づいて、前記２つの回路のそれぞれに接続された照明器具に出力される前記調光信号を制御し、これら各回路に接続された照明器具の調光レベルを制御して、選択操作された前記パターン選択手段に割り当てられた照明パターンを再生する調光制御手段と、を備えたことを特徴とする。
【００１３】
請求項２の発明は、請求項１に記載の調光器において、前記照明パターンは、前記２つの回路に接続された全ての照明器具をオフにする第１のパターンと、前記２つの回路に接続された全ての照明器具の調光レベルを略１００％にする第２のパターンと、一方の回路に接続された照明器具の調光レベルを第１の所定レベルにし、他方の回路に接続された照明器具の調光レベルを第２の所定レベルにする第３のパターンとを含み、前記パターン選択手段は、第１のパターン乃至第３のパターンのそれぞれに割り当てられた第１の選択手段乃至第３の選択手段を有することを特徴とする。
【００１４】
請求項３の発明は、請求項１又は請求項２に記載の調光器において、前記パターン選択手段に割り当てられた照明パターンが固定であることを特徴とする。
【００１５】
請求項４の発明は、請求項１又は請求項２に記載の調光器において、前記パターン選択手段に割り当てられた照明パターンを調整する際にユーザによって操作され、前記２つの回路に接続された照明器具の調光レベルを設定するためのレベル設定手段を備えたことを特徴とする。
【００１６】
請求項５の発明は、請求項４に記載の調光器において、前記レベル設定手段の設定範囲を前記照明器具の調光レベルの使用頻度に応じて割り当て、使用頻度が高い調光レベルの範囲にレベル設定手段の設定範囲を広く割り当て、使用頻度が低い調光レベルの範囲にレベル設定手段の設定範囲を狭く割り当てたことを特徴とする。
【００１７】
請求項６の発明は、前記２つの回路に分けて接続され、前記調光信号により調整制御可能な複数の照明器具と、請求項１乃至請求項５の何れかに記載の調光器とを備えたことを特徴とする調光システムである。
【発明の効果】
【００１８】
請求項１に記載の調光器によれば、選択操作されたパターン選択手段に基づいて、２回路に分けて接続された複数の照明器具の調光レベルを制御し、照明パターンを再生するので、ユーザは、複数の照明器具を個々に操作することなく、パターン選択手段のみを操作することにより所定の照明パターンを再生することが可能となる。また、複数の照明器具を２回路に統括して制御するので、照明器具を操作するためのスイッチ等を削減することができ、操作すべきスイッチ等を見つけ易くして、調光器の操作に不慣れな人であっても迷うことなく簡単に操作することができるようにすることが可能となる。
【００１９】
請求項２に記載の調光器によれば、第１のパターン乃至第３のパターンが、第１の選択手段乃至第３の選択手段にそれぞれ割り当てられているので、ユーザは第１の選択手段乃-至第３の選択手段を操作することにより、簡単に第１のパターン乃至第３のパターンを再生することができる。
【００２０】
請求項３に記載の調光器よれば、パターン選択手段に割り当てられた照明パターンが固定であるので、調光器の操作に不慣れなユーザであっても調光レベルの設定に煩わされることなく、簡単に照明パターンを操作することができる。
【００２１】
請求項４に記載の調光器よれば、第１の回路及び第２の回路に接続された照明器具の調光レベルを設定するレベル設定手段を備えるので、照明器具の設置環境や使用環境に応じた照明パターンの調整が可能となる。
【００２２】
請求項５に記載の調光器よれば、レベル設定手段の設定範囲を、照明器具の調光レベルの使用頻度に応じて割り当てたので、使用頻度が低い調光レベルの範囲に割り当てられるレベル設定手段の設定範囲の無駄を省いて、レベル設定手段の設定範囲を効率的に利用することができる。
【００２３】
請求項６に記載の調光システムよれば、上記請求項１乃至請求項５の効果を有する調光システムを提供することができる。
【発明を実施するための最良の形態】
【００２４】
本発明の第１の実施形態に係る調光器について説明する。図１は、調光器１を不特定多数の人が利用する会議室Ｒに設置した例を示している。調光器１は、デューティ信号（調光信号）を出力することにより接続された複数のインバータ蛍光灯照明器具（以下、単に照明器具という）１１Ａ，１１Ｂを調光制御する装置であり、これら照明器具１１Ａ，１１Ｂ及び調光器１により調光システム８０が形成されている。図２に示されるように、調光器１には、複数の照明器具１１Ａ，１１Ｂが配線１２Ａ，１２Ｂを介して第１の回路１０Ａ及び第２の回路１０Ｂの２回路に分けて接続される。
【００２５】
図３に示されるように、調光器１は、所定の照明パターンを再生する際に選択操作されるパターンスイッチ（パターン選択手段）ＳＷと、選択操作されたパターンスイッチＳＷに基づいて、第１の回路１０Ａ及び第２の回路１０Ｂに接続された照明器具１１Ａ，１１Ｂに出力されるデューティ信号を制御し、これら各回路１０Ａ，１０Ｂに接続された照明器具１１Ａ，１１Ｂの調光レベルを制御して、選択操作されたパターンスイッチＳＷに割り当てられた照明パターンを再生する演算処理部（調光制御手段）４とを備えている。その他、調光器１は、商用電源２０から入力された交流電流を直流電流に変換する直流電源部２、デューティ信号を生成する信号発生部４、可変抵抗器からなるボリュームＶ、及び発光ダイオードＬを備えている。なお、図２に示されるように、パターンスイッチＳＷは、会議室Ｒの壁面等に取り付けられた操作パネル４０に形成されていてもよくワイアレスリモコン５０に形成されていてもよい。
【００２６】
演算処理部３は直流電源部２から供給される直流電源により動作し、ユーザによって選択操作されたパターンスイッチＳＷ及びボリュームＶからの入力に基づいて内部処理を実行し、信号発生部４から照明器具１１Ａ，１１Ｂに出力されるデューティ信号を制御して照明器具１１Ａ，１１Ｂの調光レベルを制御し、照明パターンを再生する。また、演算処理部３は、操作されたパターンスイッチＳＷに応じて、現在再生中の照明パターンに対応する発光ダイオードＬを点灯させ、再生中の照明パターンをユーザに報知する。
【００２７】
調光器１により再生される照明パターンには、第１の回路１０Ａ及び第２の回路１０Ｂに接続された全ての照明器具１１Ａ，１１Ｂをオフにする全消灯パターン（第１のパターン）と、第１の回路１０Ａ及び第２の回路１０Ｂに接続された全ての照明器具１１Ａ，１１Ｂの調光レベルを略１００％にする全点灯パターン（第２のパターン）と、第１の回路１０Ａに接続された照明器具１１Ａの調光レベルをかなり暗めの調光レベル（例えば、約５％（第１の所定レベル））に設定し、第２の回路１０Ｂに接続された照明器具１１Ｂの調光レベルを少し暗めの調光レベル（例えば、約４０％（第２の所定レベル））にするプロジェクタ用パターン（第３のパターン）とが含まれている。プロジェクタ用パターンは、図１に示されるように、プロジェクタＰを使用してスクリーンＳに映像を映し出す際に用いられる。
【００２８】
その他、照明パターンには、プロジェクタＰの投射方向がスクリーンＳの方向でない場合など、どこに映像が映し出されるか分からない場合に利用される、会議室Ｒ全体が暗めになるように調整された全体調光用パターンも含まれている。
【００２９】
図３及び図４に示されるように、パターンスイッチＳＷは、全消灯パターンに割り当てられたＯＮ／ＯＦＦスイッチ（第１の選択手段）ＳＷ１と、全点灯パターンに割り当てられた全点灯スイッチ（第２の選択手段）ＳＷ２と、プロジェクタ用パターンに割り当てられたプロジェクタ用パターンスイッチ（第３の選択手段）ＳＷ３と、全体調光用パターンに割り当てられた全体調光用パターンスイッチＳＷ４とを有している。
【００３０】
なお、全点灯パターン、プロジェクタ用パターン、又は全体調光用パターンが再生された状態でＯＮ／ＯＦＦスイッチＳＷ１が操作されると全消灯パターンに移行する。一方、全消灯パターンでＯＮ／ＯＦＦスイッチＳＷ１が操作されると、全消灯パターンになる前に再生されていた照明パターンが再生される。
【００３１】
図５に示されるワイアレスリモコン５０のＯＮ／ＯＦＦスイッチＲＳＷ１、全点灯スイッチＲＳＷ２、プロジェクタ用パターンスイッチＲＳＷ３、及び全体調光用パターンスイッチＲＳＷ４は、それぞれ操作パネル４０のＯＮ／ＯＦＦスイッチＳＷ１、全点灯スイッチＳＷ２、プロジェクタ用パターンスイッチＳＷ３、及び全体調光用パターンスイッチＳＷ４に対応している。ワイアレスリモコン５０から出力された信号は、操作パネル４０の受光部４０ａを介して調光器１に入力される（図４参照）。
【００３２】
図３及び図４に示されるように、発光ダイオードＬは、再生中の照明パターンが全消灯パターンのときに点灯する第１の発光ダイオードＬ１と、照明パターンが全点灯パターンのときに点灯する第２の発光ダイオードＬ２と、照明パターンがプロジェクタ用パターンのときに点灯する第３の発光ダイオードＬ３と、照明パターンが全体調光用パターンのときに点灯する第４の発光ダイオードＬ４とを有している。
【００３３】
本実施形態においては、パターンスイッチＳＷに割り当てられた照明パターンが固定されるようにボリュームＶは固定されており、エンドユーザ側では操作できないようになっている。パターンスイッチＳＷに割り当てられた照明パターンを固定する方法は、ボリューム（可変抵抗器）Ｖでなくてもよく、パターンスイッチＳＷに割り当てられた調光レベルに関する情報を記憶するメモリなどであってもよい。この場合、パターンスイッチＳＷが選択操作されると、メモリに記憶された情報が演算処理部３に入力され、これ基づいて照明器具１１Ａ，１１Ｂの調光レベルが決定される。図３に示されるように、ボリュームＶは、プロジェクタ用パターン時の照明器具１１Ａ，１１Ｂの調光レベルを設定するボリュームＶ１Ａ，Ｖ１Ｂと、全体調光用パターン時の照明器具１１Ａ，１１Ｂの調光レベルを設定するボリュームＶ２とを有しており、予め会議室Ｒでの使用に最適な調光レベルが設定されている。
【００３４】
次に、調光器１の操作方法について説明する。ユーザは入室後、ＯＮ／ＯＦＦスイッチＳＷ１を押下し、会議室Ｒの照明器具１１Ａ，１１Ｂをオンにする。そして、スクリーンＳを使用してプロジェクタＰを使用する場合、プロジェクタ用パターンスイッチＳＷ３を押下して予め調整されているプロジェクタ用パターンを再生する。このとき、ワイアレスリモコン５０のプロジェクタ用パターンスイッチＲＳＷ３を押下するようにしてもよい。
【００３５】
そして、プロジェクタＰの使用を終了して討議等に戻る場合には、全点灯スイッチＳＷ２を押して全点灯パターンを再生し、部屋を明るくする。会議終了後は、ＯＮ／ＯＦＦスイッチＳＷ１を押下することにより全て照明器具１１Ａ，１１Ｂをオフにする。
【００３６】
このように、本実施形態の調光器１によれば、選択操作されたパターンスイッチＳＷに基づいて、２回路に分けて接続された複数の照明器具１１Ａ，１１Ｂの調光レベルを制御し、照明パターンを再生するので、ユーザは、複数の照明器具１１Ａ，１１Ｂを個々に操作することなく、パターンスイッチＳＷのみを操作することにより所定の照明パターンを再生することが可能となる。すなわち、全消灯パターン、全点灯パターン、及びプロジェクタ用パターンが、それぞれ全消灯スイッチＳＷ１、全点灯スイッチＳＷ２、及びプロジェクタ用パターンスイッチＳＷ３に割り当てられているので、ユーザはこれらのパターンスイッチＳＷを操作することにより、簡単に全消灯パターン、全点灯パターン、及びプロジェクタ用パターンを再生することができる。
【００３７】
また、複数の照明器具１１Ａ，１１Ｂを２回路に統括して制御するので、照明器具１１Ａ，１１Ｂを操作するためのスイッチ等を削減することができ、操作すべきスイッチ等を見つけ易くして、調光器１の操作に不慣れな人であっても迷うことなく簡単に操作することができるようにすることが可能となる。
【００３８】
また、パターンスイッチＳＷに割り当てられた照明パターンを固定とし、エンドユーザ側での照明パターンの調整を不要としたので、調光器１の操作に不慣れなユーザであっても調光レベルの設定に煩わされることなく、簡単に照明パターンを操作することができる。また、多数の会議室がある場合等、照明パターンの調整が設備管理者にとって大変な負担になる場合があるが、本実施形態のように予め最適な照明パターンが設定されている調光器１によれば、施工後そのまま使用できるため設備管理者の負担を軽減することができる。
【００３９】
次に、本発明の第２の実施形態に係る調光器について説明する。本実施形態の調光器１は、パターンスイッチに割り当てられた照明パターンをエンドユーザ側で調整できるようにした点で第１の実施形態と異なる。
【００４０】
図６に示されるように、本実施形態においては、エンドユーザがボリュームＶを介して照明パターンを調整できるように、ボリュームＶが操作パネル４０の前面パネルを取り外した部分に形成されている。このように、ボリュームＶを前面パネルで覆ってエンドユーザから隠すことにより、前面プレートに表れるスイッチ数を削減して、操作すべきスイッチをユーザが容易に見つけることができるようにしている。
【００４１】
ユーザは、ボリュームＶを操作することにより、第１の回路１０Ａ及び第２の回路１０Ｂに接続された照明器具１１Ａ，１１Ｂの調光レベルを設定し、パターンスイッチＳＷに割り当てられた照明パターンを調整する。
【００４２】
ボリュームＶは、プロジェクタ用パターンを調整する際に操作されるボリュームＶ１Ａ，Ｖ１Ｂと、全体調光用パターンを調整する際に操作されるボリュームＶ２とを有している。
ボリュームＶ１Ａは、第１の回路１０Ａに接続された照明器具１１Ａの調光レベルを設定するためのものであり、ボリュームＶ１Ｂは、第２の回路１０Ｂに接続された照明器具１１Ｂの調光レベルを設定するためのものである。また、ボリュームＶ２は、第１の回路１０Ａ及び第２の回路１０Ｂに接続された照明器具１１Ａ，１１Ｂの調光レベルを一括して設定するためのものである。
【００４３】
ボリュームＶの設定範囲（可動範囲）は、照明器具１１Ａ，１１Ｂの調光レベルの使用頻度に応じて割り当てられており、使用頻度が高い調光レベルの範囲にはボリュームＶの設定範囲が広く割り当てられており、使用頻度が低い調光レベルの範囲にはボリュームＶの設定範囲が狭く割り当てられている。
【００４４】
例えば、調光レベルと照度の関係が略リニアとなる照明器具に、調光器１が接続された場合、ボリュームＶの設定範囲を照明器具の調光レベルに対して指数関数的に割り当てる。一般に、照明器具の光束比（調光レベル）と人の目に感じる明るさ感とはリニアな関係にならず指数関数的な関係を有することが知られており、２．３乗調光特性等として調光器等に利用されている。このように、ボリュームＶの設定範囲を照明器具の調光レベルに対して指数関数的に割り当てることにより、明るさを指数関数的に感じる人の眼に適した調光レベルの設定が可能となり、照明パターンの調整が容易となる。
【００４５】
図７に示されるように、本実施形態においては、使用する可能性がほとんどない調光レベルの範囲にはボリュームＶの設定範囲をほとんど割り当てず、使用頻度が低く、使用しても設定がシビアでない調光レベルの範囲には、ボリュームＶの設定範囲を、調光レベルに対してリニアに割り当てる場合に比べて狭くなるように割り当てる。また、使用頻度は高いが、設定があまりシビアでない調光レベルの範囲には、ボリュームＶの設定範囲を、調光レベルに対してリニアに割り当てる場合に比べて広くなるように割り当てる。更に、使用頻度が高く、且つ、設定がシビアな調光レベルの範囲には、上記より更に広くなるようにボリュームＶの設定範囲を割り当てる。
【００４６】
次に、パターンスイッチＳＷに割り当てられた照明パターンを調整する際の手順について説明する。まず、ボリュームＶを覆っている前面パネルを取り外し、ボリュームＶを操作できる状態にする。そして、プロジェクタ用パターンスイッチＳＷ３を押下し、プロジェクタ用パターンを再生させる。このときワイアレスリモコン５０のプロジェクタ用パターンスイッチＲＳＷ３を操作してもよい。そして、スクリーンＳ等に映し出された映像が見え易く、且つ、手元でメモがとれる程度の明るさにするために、ボリュームＶ１Ａを操作してスクリーンＳに近い側の照明器具１１Ａの調光レベルをかなり暗めに設定し、ボリュームＶ１Ｂを操作してスクリーンＳから遠い側の照明器具１１Ｂの調光レベルを少し暗めに設定する。
【００４７】
次に、全体調光用パターンスイッチＳＷ４を押下して全体調光用パターンを再生し、ボリュームＶ２を操作して全体調光用パターンを調整する。全体調光用パターンは、プロジェクタＰの投射方向がスクリーンＳの方向でない場合など、どこに映像が映し出されるか分からない場合を想定して、会議室Ｒ全体が暗めになるように調整される。そして、これらプロジェクタ用パターン、及び全体調光用パターンの調整が終了すると、前面プレートを取り付けて照明パターンの調整作業を終了する。なお、調光器１の操作方法は第１の実施形態と同様である。
【００４８】
このように本実施形態の調光器１よれば、第１の回路１０Ａ及び第２の回路１０Ｂに接続された照明器具１１Ａ，１１Ｂの調光レベルをエンドユーザ側で設定するボリュームＶを備えるので、照明器具の設置環境や使用環境に応じた照明パターンの調整が可能となる。
【００４９】
また、ボリュームＶの設定範囲を、照明器具の調光レベルの使用頻度に応じて割り当てたので、使用頻度が低い調光レベルの範囲に割り当てられるボリュームＶの設定範囲の無駄を省いて、ボリュームＶの設定範囲を効率的に利用することができる。
【００５０】
本発明は上記実施形態の構成に限られることなく、発明の趣旨を変更しない範囲で種々の変形が可能である。例えば、パターンスイッチＳＷに割り当てられる調光パターンは、プロジェクタ用パターン等でなくてもよく、調光器１の設置場所や使用環境に応じて適宜決定される。
【図面の簡単な説明】
【００５１】
【図１】本発明の第１の実施形態に係る調光器の使用例の説明図。
【図２】同調光器を備えた調光システムの概念図。
【図３】同調光器のブロック図。
【図４】同調光器の操作パネルの正面図。
【図５】同調光器に用いられるワイアレスリモコンの正面図。
【図６】本発明の第２の実施形態に係る調光器の操作パネルの前面プレートを取り外した状態を示す正面図。
【図７】同調光器のボリュームと照明器具の調光レベルの関係を示すグラフ。
【図８】従来例に係る１回路用調光器の操作パネルの正面図。
【図９】従来例に係る記憶式多回路用調光器の操作パネルの正面図。
【符号の説明】
【００５２】
１    調光器
２    直流電源部
３    演算処理部（調光制御部）
４    信号発生部
８０  調光システム
１０Ａ  第１の回路
１０Ｂ  第２の回路
１１Ａ，１１Ｂ  照明器具
ＳＷ１  ＯＮ／ＯＦＦスイッチ（パターン選択手段（第１の選択手段））
ＳＷ２  全点灯スイッチ（パターン選択手段（第２の選択手段））
ＳＷ３  プロジェクタ用パターンスイッチ（パターン選択手段（第３の選択手段））
ＳＷ４  全体調光用パターンスイッチ（パターン選択手段）
Ｖ１Ａ，Ｖ１Ｂ，Ｖ２  ボリューム（レベル設定手段）
【図１】
2006236892.tif 000003
【図２】
2006236892.tif 000004
【図３】
2006236892.tif 000005
【図４】
2006236892.tif 000006
【図５】
2006236892.tif 000007
【図６】
2006236892.tif 000008
【図７】
2006236892.tif 000009
【図８】
2006236892.tif 000010
【図９】
2006236892.tif 000011